(57)【要約】【課題】背板材と、天板材と、底板材と、左側板材と、右側板材とから、遊技者と対向する開口を有するボックス状に接合されて成る回胴式遊技機の筐体において、組み立ての部品点数や作業工数を削減すること。【解決手段】回胴式遊技機の筐体１は、背板材１０と、天板材２０と、底板材３０と、左側板材４０と、右側板材５０とから、遊技者と対向する開口１ａを有するボックス状に接合されて成っている。５枚の板材１０、２０、３０、４０、５０は、木質材から構成されている。ボックス状における４箇所の隅部のうちの少なくとも１箇所の隅部には、この隅部を塞ぐように、この隅部を形成する３枚の板材１０、２０、３０、４０、５０に対して接合金具２がビスＢ留めされている。接合金具２は、一体を成すように構成されている。【選択図】図１
2016101362.tif 000002
【特許請求の範囲】
【請求項１】
背板材と、天板材と、底板材と、左側板材と、右側板材とから、遊技者と対向する開口を有するボックス状に接合されて成る回胴式遊技機の筐体であって、
５枚の板材は、木質材から構成されており、
ボックス状における４箇所の隅部のうちの少なくとも１箇所の隅部には、この隅部を塞ぐように、この隅部を形成する３枚の板材に対して接合金具がビス留めされており、
接合金具は、一体を成すように構成されている回胴式遊技機の筐体。
【請求項２】
請求項１に記載の回胴式遊技機の筐体であって、
ボックス状の接合は、４箇所の隅部にビス留めされる接合金具によって行われている回胴式遊技機の筐体。
【請求項３】
請求項１〜２のいずれかに記載の回胴式遊技機の筐体であって、
開口の内側の縁には、枠状に形成された板金材が組み付けられている回胴式遊技機の筐体。
【請求項４】
請求項１〜３のいずれかに記載の回胴式遊技機の筐体であって、
接合金具は、金属材を折り曲げによって形成されている回胴式遊技機の筐体。
【発明の詳細な説明】
【技術分野】
【０００１】
本発明は、回胴式遊技機の筐体に関し、背板材と、天板材と、底板材と、左側板材と、右側板材とから、遊技者と対向する開口を有するボックス状に接合されて成る回胴式遊技機の筐体に関する。
【背景技術】
【０００２】
従来、スロットマシーン等の回胴式遊技機の筐体は、背板材と、天板材と、底板材と、左側板材と、右側板材とから、遊技者と対向する開口を有するボックス状に接合され構成されている。ここで、下記特許文献１には、この接合がボックスの隅部を形成する３枚の板材２１０、２３０、２４０に対して接合金具２０２をねじｂ留めすることで行われている技術が開示されている（図２２参照）。これにより、板材同士を簡便に接合できるため、容易かつ迅速に筐体２０１を組み立てることができる。
【先行技術文献】
【特許文献】
【０００３】
【特許文献１】特開２００３−１８０９１６号公報
【発明の概要】
【発明が解決しようとする課題】
【０００４】
しかしながら、上述した特許文献１の技術では、接合金具２０２は、２部材（２つの金具片２０２ａ、２０２ｂ）から構成されている。そのため、この特許文献１の技術では、この２部材２０２ａ、２０２ｂをスライドとねじによって締結する作業が必要となっている。したがって、部品点数が増加したり作業工数が増加したりするため、これらを削減することが求められていた。
【０００５】
本発明は、このような課題を解決しようとするもので、その目的は、背板材と、天板材と、底板材と、左側板材と、右側板材とから、遊技者と対向する開口を有するボックス状に接合されて成る回胴式遊技機の筐体において、組み立ての部品点数や作業工数を削減することである。
【課題を解決するための手段】
【０００６】
本発明は、上記の目的を達成するためのものであって、以下のように構成されている。
請求項１に記載の発明は、背板材と、天板材と、底板材と、左側板材と、右側板材とから、遊技者と対向する開口を有するボックス状に接合されて成る回胴式遊技機の筐体であって、５枚の板材は、木質材から構成されている。ボックス状における４箇所の隅部のうちの少なくとも１箇所の隅部には、この隅部を塞ぐように、この隅部を形成する３枚の板材に対して接合金具がビス留めされている。接合金具は、一体を成すように構成されている。
【０００７】
請求項１の発明によれば、接合金具は、１部材から形成されている。すなわち、接合金具は、従来技術と異なり、２部材（例えば、２つの金具片）から構成されていない。そのため、回胴式遊技機の筐体の組み立て時に、従来技術のように、この２部材（２つの金具片）をスライドとねじによって締結する作業を必要としない。したがって、この組み立ての部品点数や作業工数を削減することができる。
【０００８】
また、請求項２に記載の発明は、請求項１に記載の回胴式遊技機の筐体であって、ボックス状の接合は、４箇所の隅部にビス留めされる接合金具によって行われている。
【０００９】
請求項２の発明によれば、４個の接合金具によって、回胴式遊技機の筐体をボックス状に接合できるため、この筐体の組み立ての部品点数や作業工数をより削減することができる。
【００１０】
また、請求項３に記載の発明は、請求項１〜２のいずれかに記載の回胴式遊技機の筐体であって、開口の内側の縁には、枠状に形成された板金材が組み付けられている。
【００１１】
請求項３の発明によれば、板金材によって、この筐体の強度及びセキュリティを高めることができる。
【００１２】
また、請求項４に記載の発明は、請求項１〜３のいずれかに記載の回胴式遊技機の筐体であって、接合金具は、金属材を折り曲げによって形成されている。
【００１３】
請求項４の発明によれば、プレス加工等によって、接合金具を簡便に大量生産できる。
【図面の簡単な説明】
【００１４】
【図１】本発明の実施例１に係る回胴式遊技機の筐体の全体斜視図である。
【図２】図１の筐体の正面図である。
【図３】図１の筐体の平面図である。
【図４】図１の筐体の底面図である。
【図５】図１の筐体の左側面図である。
【図６】図１の筐体の右側面図である。
【図７】図１の筐体の分解斜視図である。
【図８】図１の左下の接合金具の拡大図である。
【図９】図８の接合金具の正面図である。
【図１０】図８の接合金具の平面図である。
【図１１】図８の接合金具の底面図である。
【図１２】図８の接合金具の左側面図である。
【図１３】図８の接合金具の右側面図である。
【図１４】本発明の実施例２に係る回胴式遊技機の筐体の全体斜視図である。
【図１５】図１４の筐体の正面図である。
【図１６】図１４の筐体の平面図である。
【図１７】図１４の筐体の底面図である。
【図１８】図１４の筐体の左側面図である。
【図１９】図１４の筐体の右側面図である。
【図２０】図１４の筐体の分解斜視図である。
【図２１】図１４の左下の接合金具の拡大図である。
【図２２】従来技術に係る回胴式遊技機の筐体の接合を示す斜視図である。
【発明を実施するための形態】
【００１５】
以下、本発明を実施するための形態を、図面を用いて説明する。
（実施例１）
まず、本発明の実施例１を、図１〜１３を用いて説明する。はじめに、図１〜７を参照して、本発明の実施例１に係る回胴式遊技機の筐体１の全体構成を説明する。この回胴式遊技機として、例えば、スロットマシーンを例に説明する。
【００１６】
この筐体１は、パチンコ屋の遊技島のベース（いずれも図示しない）に組み付けられるものであり、主として、背板材１０と、天板材２０と、底板材３０と、左側板材４０と、右側板材５０とから構成されている。以下に、これら背板材１０と、天板材２０と、底板材３０と、左側板材４０と、右側板材５０とを個別に説明していく。
【００１７】
最初に、背板材１０から説明していく。この背板材１０は、縦長の矩形状のパネル部材から構成されている。この背板材１０における左上、左下、右上、右下の縁には、４個の下孔１２（第１の下孔１２ａ、第２の下孔１２ｂ、第３の下孔１２ｃ、第４の下孔１２ｄ）が形成されている。この４個の下孔１２には、ビスＢに螺合可能な鬼目ナット１４（第１の鬼目ナット１４ａ、第２の鬼目ナット１４ｂ、第３の鬼目ナット１４ｃ、第４の鬼目ナット１４ｄ）がそれぞれ埋め込まれている。
【００１８】
次に、天板材２０を説明する。この天板材２０は、横長の矩形状の木質のパネル部材から構成されている。この天板材２０における左後、左前、前の中央、右前、右後の縁には、７個の下孔２２（第１の下孔２２ａ、第２の下孔２２ｂ、第３の下孔２２ｃ、第４の下孔２２ｄ、第５の下孔２２ｅ、第６の下孔２２ｆ、第７の下孔２２ｇ）が形成されている。この７個の下孔２２には、ビスＢに螺合可能な鬼目ナット２４（第１の鬼目ナット２４ａ、第２の鬼目ナット２４ｂ、第３の鬼目ナット２４ｃ、第４の鬼目ナット２４ｄ、第５の鬼目ナット２４ｅ、第６の鬼目ナット２４ｆ、第７の鬼目ナット２４ｇ）がそれぞれ埋め込まれている。
【００１９】
この天板材２０の内面の前側には、基片６２と、この基片６２の左右の両端から折り曲げられた一対の自由片６４、６４とから略コ字状に形成されている上板金材６０が上述した天板材２０の第３の鬼目ナット２４ｃ、第４の鬼目ナット２４ｄ、第５の鬼目ナット２４ｅに沿うように設けられている。この上板金材６０には、後述するビスＢを挿し込んで貫通させることができる５個の貫通孔６６（第１の貫通孔６６ａ、第２の貫通孔６６ｂ、第３の貫通孔６６ｃ、第４の貫通孔６６ｄ、第５の貫通孔６６ｅ）が形成されている。
【００２０】
なお、この５個の貫通孔６６のうち、第１の貫通孔６６ａは、左側の自由片６４に形成されている。また、この５個の貫通孔６６のうち、第２の貫通孔６６ｂ、第３の貫通孔６６ｃ、第４の貫通孔６６ｄは、上述した天板材２０の第３の鬼目ナット２４ｃ、第４の鬼目ナット２４ｄ、第５の鬼目ナット２４ｅに対応するように基片６２に形成されている。また、この５個の貫通孔６６のうち、第５の貫通孔６６ｅは、右側の自由片６４に形成されている。また、この天板材２０の内面の後側には、上述した背板材１０の上縁１０ａを嵌め込み可能な嵌込溝２６が形成されている。
【００２１】
次に、底板材３０を説明する。この底板材３０は、横長の矩形状の木質のパネル部材から構成されている。この底板材３０における左後、左前、前の中央、右前、右後の縁には、７個の下孔３２（第１の下孔３２ａ、第２の下孔３２ｂ、第３の下孔３２ｃ、第４の下孔３２ｄ、第５の下孔３２ｅ、第６の下孔３２ｆ、第７の下孔３２ｇ）が形成されている。この７個の下孔３２には、ビスＢに螺合可能な鬼目ナット３４（第１の鬼目ナット３４ａ、第２の鬼目ナット３４ｂ、第３の鬼目ナット３４ｃ、第４の鬼目ナット３４ｄ、第５の鬼目ナット３４ｅ、第６の鬼目ナット３４ｆ、第７の鬼目ナット３４ｇ）がそれぞれ埋め込まれている。
【００２２】
この底板材３０の内面の前側には、基片７２と、この基片７２の左右の両端から折り曲げられた一対の自由片７４、７４とから略コ字状に形成されている下板金材７０が上述した底板材３０の第３の鬼目ナット３４ｃ、第４の鬼目ナット３４ｄ、第５の鬼目ナット３４ｅに沿うように設けられている。この下板金材７０には、後述するビスＢを挿し込んで貫通させることができる５個の貫通孔７６（第１の貫通孔７６ａ、第２の貫通孔７６ｂ、第３の貫通孔７６ｃ、第４の貫通孔７６ｄ、第５の貫通孔７６ｅ）が形成されている。
【００２３】
なお、この５個の貫通孔７６のうち、第１の貫通孔７６ａは、左側の自由片７４に形成されている。また、この５個の貫通孔７６のうち、第２の貫通孔７６ｂ、第３の貫通孔７６ｃ、第４の貫通孔７６ｄは、上述した底板材３０の第３の鬼目ナット３４ｃ、第４の鬼目ナット３４ｄ、第５の鬼目ナット３４ｅに対応するように基片７２に形成されている。また、この５個の貫通孔７６のうち、第５の貫通孔７６ｅは、右側の自由片７４に形成されている。また、この底板材３０の内面の後側には、上述した背板材１０の下縁１０ｂを嵌め込み可能な嵌込溝３６が形成されている。
【００２４】
次に、左側板材４０を説明する。この左側板材４０は、直角を有する縦長の台形状の木質のパネル部材から構成されている。この左側板材４０における上後、上前、前の中央、下前、下後の縁には、８個の下孔４２（第１の下孔４２ａ、第２の下孔４２ｂ、第３の下孔４２ｃ、第４の下孔４２ｄ、第５の下孔４２ｅ、第６の下孔４２ｆ、第７の下孔４２ｇ、第８の下孔４２ｈ）が形成されている。この８個の下孔４２には、ビスＢに螺合可能な鬼目ナット４４（第１の鬼目ナット４４ａ、第２の鬼目ナット４４ｂ、第３の鬼目ナット４４ｃ、第４の鬼目ナット４４ｄ、第５の鬼目ナット４４ｅ、第６の鬼目ナット４４ｆ、第７の鬼目ナット４４ｇ、第８の鬼目ナット４４ｈ）がそれぞれ埋め込まれている。
【００２５】
この左側板材４０の内面の前側には、回胴式遊技機の前扉（図示しない）をヒンジ結合するヒンジピン８４、８４を有する左板金材８０が上述した左側板材４０の第２の鬼目ナット４４ｂ、第３の鬼目ナット４４ｃ、第４の鬼目ナット４４ｄ、第５の鬼目ナット４４ｅ、第６の鬼目ナット４４ｆ、第７の鬼目ナット４４ｇに沿うように設けられている。この左板金材８０には、後述するビスＢを挿し込んで貫通させることができる６個の貫通孔８２（第１の貫通孔８２ａ、第２の貫通孔８２ｂ、第３の貫通孔８２ｃ、第４の貫通孔８２ｄ、第５の貫通孔８２ｅ、第６の貫通孔８２ｆ）が形成されている。
【００２６】
また、この左側板材４０の内面の後側には、上述した背板材１０の左縁１０ｃを嵌め込み可能な嵌込溝４６が形成されている。また、この左側板材４０の略中央には、出来上がった筐体１を運搬するときに４本の指（人差し指、中指、薬指、小指）を挿し込み可能な挿込孔４８が形成されている。
【００２７】
次に、右側板材５０を説明する。この右側板材５０は、上述した左側板材４０と対を成すように直角を有する縦長の台形状の木質のパネル部材から構成されている。この右側板材５０における上後、上前、前の中央、下前、下後の縁には、７個の下孔５２（第１の下孔５２ａ、第２の下孔５２ｂ、第３の下孔５２ｃ、第４の下孔５２ｄ、第５の下孔５２ｅ、第６の下孔５２ｆ、第７の下孔５２ｇ）が形成されている。この７個の下孔５２には、ビスＢに螺合可能な鬼目ナット５４（第１の鬼目ナット５４ａ、第２の鬼目ナット５４ｂ、第３の鬼目ナット５４ｃ、第４の鬼目ナット５４ｄ、第５の鬼目ナット５４ｅ、第６の鬼目ナット５４ｆ、第７の鬼目ナット５４ｇ）がそれぞれ埋め込まれている。
【００２８】
この右側板材５０の内面の前側には、右板金材９０が上述した右側板材５０の第２の鬼目ナット５４ｂ、第３の鬼目ナット５４ｃ、第４の鬼目ナット５４ｄ、第５の鬼目ナット５４ｅ、第６の鬼目ナット５４ｆに沿うように設けられている。この右板金材９０には、後述するビスＢを挿し込んで貫通させることができる５個の貫通孔９２（第１の貫通孔９２ａ、第２の貫通孔９２ｂ、第３の貫通孔９２ｃ、第４の貫通孔９２ｄ、第５の貫通孔９２ｅ）が形成されている。
【００２９】
また、この右側板材５０の内面の後側には、上述した背板材１０の右縁１０ｄを嵌め込み可能な嵌込溝５６が形成されている。また、この右側板材５０の略中央には、出来上がった筐体１を運搬するときに４本の指（人差し指、中指、薬指、小指）を挿し込み可能な挿込孔５８が形成されている。
【００３０】
これら背板材１０と、天板材２０と、底板材３０と、左側板材４０と、右側板材５０とから筐体１は、組み立てられる。なお、この組み立てにあたって、左上、左下、右上、右下の各隅部に４個の接合金具２が使用されている。ここで、図８〜１３を参照して、この４個の接合金具２のうち、左下の接合金具２について詳述する。なお、残りの左上、右上、右下の３個の接合金具２も、この左下の接合金具２と同一のため、詳細な説明は省略することとする。なお、このように左上の接合金具２、左下の接合金具２、右上の接合金具２、右下の接合金具２が同一であるため、筐体１の背板材１０、天板材２０、底板材３０、左側板材４０、右側板材５０の接合に必要な部材（接合金具２）を共通部材にできる。
【００３１】
この接合金具２は、矩形状の第１の片３と、矩形状の第２の片４と、第３の片５と、第４の片６とから金属材（例えば、鉄、アルミニウム等）を折り曲げによって一体的に形成されている（図８参照）。すなわち、この接合金具２は、板金材によって１部材から形成されている。この第２の片４は、第１の片３の一方の短辺３ａから直交するように内側に向けて折り曲げられて形成されている。この折り曲げ部位には、ビード３ｃが形成されている。
【００３２】
また、この第３の片５は、第２の片４の一方の長辺４ａから内側に向けて直交するように折り曲げられて形成されている。また、この第４の片６は、第１の片３の一方の長辺３ｂから内側に向けて直交するように折り曲げられて形成されている。なお、この第４の片６は、図８からも明らかなように、自身６と折り曲げられた第３の片５とが重なり合うことがないように、この第３の片５に対して重なり合う部位が切り欠かれている。
【００３３】
また、この第１の片３には、後述するビスＢを挿し込んで貫通させることができる貫通孔３ｄが形成されている。この貫通孔３ｄは、左側板材４０の第８の鬼目ナット４４ｈに対応する位置に形成されている。また、これと同様に、この第２の片４には、後述するビスＢを挿し込んで貫通させることができる貫通孔４ｂが形成されている。この貫通孔４ｂは、背板材１０の第２の鬼目ナット１４ｂに対応する位置に形成されている。
【００３４】
また、これと同様に、この第３の片５には、後述するビスＢを挿し込んで貫通させることができる貫通孔５ａが形成されている。この貫通孔５ａは、底板材３０の第１の鬼目ナット３４ａに対応する位置に形成されている。また、これと同様に、この第４の片６には、後述するビスＢを挿し込んで貫通させることができる貫通孔６ａが形成されている。この貫通孔６ａは、底板材３０の第２の鬼目ナット３４ｂに対応する位置に形成されている。左下の接合金具２は、このように構成されている。
【００３５】
なお、上述したように、左上、左下、右上、右下の４個の接合金具２は、同一のものである。そのため、左上の接合金具２では、第１の片３の貫通孔３ｄは、背板材１０の第１の鬼目ナット１４ａに対応することとなっている。また、左上の接合金具２では、第２の片４の貫通孔４ｂは、左側板材４０の第１の鬼目ナット４４ａに対応することとなっている。また、左上の接合金具２では、第３の片５の貫通孔５ａは、天板材２０の第２の鬼目ナット２４ｂに対応することとなっている。また、左上の接合金具２では、第４の片６の貫通孔６ａは、天板材２０の第１の鬼目ナット２４ａに対応することとなっている。
【００３６】
これと同様に、右上の接合金具２では、第１の片３の貫通孔３ｄは、右側板材５０の第１の鬼目ナット５４ａに対応することとなっている。また、右上の接合金具２では、第２の片４の貫通孔４ｂは、背板材１０の第３の鬼目ナット１４ｃに対応することとなっている。また、右上の接合金具２では、第３の片５の貫通孔５ａは、天板材２０の第７の鬼目ナット２４ｇに対応することとなっている。また、右上の接合金具２では、第４の片６の貫通孔６ａは、天板材２０の第６の鬼目ナット２４ｆに対応することとなっている。
【００３７】
また、これと同様に、右下の接合金具２では、第１の片３の貫通孔３ｄは、背板材１０の第４の鬼目ナット１４ｄに対応することとなっている。また、右下の接合金具２では、第２の片４の貫通孔４ｂは、右側板材５０の第７の鬼目ナット５４ｇに対応することとなっている。また、右下の接合金具２では、第３の片５の貫通孔５ａは、底板材３０の第６の鬼目ナット３４ｆに対応することとなっている。また、右下の接合金具２では、第４の片６の貫通孔６ａは、底板材３０の第７の鬼目ナット３４ｇに対応することとなっている。
【００３８】
続いて、回胴式遊技機の筐体１を組み立てる手順を説明する。まず、天板材２０の嵌込溝２６に背板材１０の上縁１０ａを嵌め込む作業を行う。次に、底板材３０の嵌込溝３６に背板材１０の下縁１０ｂを嵌め込む作業を行う。次に、左側板材４０の嵌込溝４６に背板材１０の左縁１０ｃを嵌め込む作業を行う。次に、右側板材５０の嵌込溝５６に背板材１０の右縁１０ｄを嵌め込む作業を行う。これにより、これら背板材１０と、天板材２０と、底板材３０と、左側板材４０と、右側板材５０とが遊技者と対向する開口１ａを有するボックス状に仮接合されることとなる。
【００３９】
次に、左上の接合金具２の第１の片３の貫通孔３ｄにビスＢを挿し込み、この挿し込んだビスＢを背板材１０の第１の鬼目ナット１４ａに螺合させる作業を行う。次に、左上の接合金具２の第２の片４の貫通孔４ｂにビスＢを挿し込み、この挿し込んだビスＢを左側板材４０の第１の鬼目ナット４４ａに螺合させる作業を行う。次に、左上の接合金具２の第３の片５の貫通孔５ａにビスＢを挿し込み、この挿し込んだビスＢを天板材２０の第２の鬼目ナット２４ｂに螺合させる作業を行う。
【００４０】
次に、左上の接合金具２の第４の片６の貫通孔６ａにビスＢを挿し込み、この挿し込んだビスＢを天板材２０の第１の鬼目ナット２４ａに螺合させる作業を行う。これにより、仮接合されている背板材１０と天板材２０と左側板材４０とから形成される隅部を塞ぐように左上の接合金具２が取り付けられることとなる。すなわち、この左上の接合金具２を介して、これら背板材１０と天板材２０と左側板材４０とが接合される（仮接合から本接合される）こととなる。
【００４１】
次に、左下の接合金具２の第１の片３の貫通孔３ｄにビスＢを挿し込み、この挿し込んだビスＢを左側板材４０の第８の鬼目ナット４４ｈに螺合させる作業を行う。次に、左下の接合金具２の第２の片４の貫通孔４ｂにビスＢを挿し込み、この挿し込んだビスＢを背板材１０の第２の鬼目ナット１４ｂに螺合させる作業を行う。次に、左下の接合金具２の第３の片５の貫通孔５ａにビスＢを挿し込み、この挿し込んだビスＢを底板材３０の第１の鬼目ナット３４ａに螺合させる作業を行う。
【００４２】
次に、左下の接合金具２の第４の片６の貫通孔６ａにビスＢを挿し込み、この挿し込んだビスＢを底板材３０の第２の鬼目ナット３４ｂに螺合させる作業を行う。これにより、仮接合されている背板材１０と底板材３０と左側板材４０とから形成される隅部を塞ぐように左下の接合金具２が取り付けられることとなる。すなわち、この左下の接合金具２を介して、これら背板材１０と底板材３０と左側板材４０とが接合される（仮接合から本接合される）こととなる。
【００４３】
次に、右上の接合金具２の第１の片３の貫通孔３ｄにビスＢを挿し込み、この挿し込んだビスＢを右側板材５０の第１の鬼目ナット５４ａに螺合させる作業を行う。次に、右上の接合金具２の第２の片４の貫通孔４ｂにビスＢを挿し込み、この挿し込んだビスＢを背板材１０の第３の鬼目ナット１４ｃに螺合させる作業を行う。次に、右上の接合金具２の第３の片５の貫通孔５ａにビスＢを挿し込み、この挿し込んだビスＢを天板材２０の第７の鬼目ナット２４ｇに螺合させる作業を行う。
【００４４】
次に、右上の接合金具２の第４の片６の貫通孔６ａにビスＢを挿し込み、この挿し込んだビスＢを天板材２０の第６の鬼目ナット２４ｆに螺合させる作業を行う。これにより、仮接合されている背板材１０と天板材２０と右側板材５０とから形成される隅部を塞ぐように右上の接合金具２が取り付けられることとなる。すなわち、この右上の接合金具２を介して、これら背板材１０と天板材２０と右側板材５０とが接合される（仮接合から本接合される）こととなる。
【００４５】
次に、右下の接合金具２の第１の片３の貫通孔３ｄにビスＢを挿し込み、この挿し込んだビスＢを背板材１０の第４の鬼目ナット１４ｄに螺合させる作業を行う。次に、右下の接合金具２の第２の片４の貫通孔４ｂにビスＢを挿し込み、この挿し込んだビスＢを右側板材５０の第７の鬼目ナット５４ｇに螺合させる作業を行う。次に、右下の接合金具２の第３の片５の貫通孔５ａにビスＢを挿し込み、この挿し込んだビスＢを底板材３０の第６の鬼目ナット３４ｆに螺合させる作業を行う。
【００４６】
次に、右下の接合金具２の第４の片６の貫通孔６ａにビスＢを挿し込み、この挿し込んだビスＢを底板材３０の第７の鬼目ナット３４ｇに螺合させる作業を行う。これにより、仮接合されている背板材１０と底板材３０と右側板材５０とから形成される隅部を塞ぐように右下の接合金具２が取り付けられることとなる。すなわち、この右下の接合金具２を介して、これら背板材１０と底板材３０と右側板材５０とが接合される（仮接合から本接合される）こととなる。
【００４７】
次に、上板金材６０の基片６２の第２の貫通孔６６ｂにビスＢを挿し込み、この挿し込んだビスＢを天板材２０の第３の鬼目ナット２４ｃに螺合させる作業を行う。次に、上板金材６０の基片６２の第３の貫通孔６６ｃにビスＢを挿し込み、この挿し込んだビスＢを天板材２０の第４の鬼目ナット２４ｄに螺合させる作業を行う。次に、上板金材６０の基片６２の第４の貫通孔６６ｄにビスＢを挿し込み、この挿し込んだビスＢを天板材２０の第５の鬼目ナット２４ｅに螺合させる作業を行う。
【００４８】
次に、下板金材７０の基片７２の第２の貫通孔７６ｂにビスＢを挿し込み、この挿し込んだビスＢを底板材３０の第３の鬼目ナット３４ｃに螺合させる作業を行う。次に、下板金材７０の基片７２の第３の貫通孔７６ｃにビスＢを挿し込み、この挿し込んだビスＢを底板材３０の第４の鬼目ナット３４ｄに螺合させる作業を行う。次に、下板金材７０の基片７２の第４の貫通孔７６ｄにビスＢを挿し込み、この挿し込んだビスＢを底板材３０の第５の鬼目ナット３４ｅに螺合させる作業を行う。
【００４９】
次に、上板金材６０の第１の貫通孔６６ａから左板金材８０の第１の貫通孔８２ａにビスＢを挿し込み、この挿し込んだビスＢを左側板材４０の第２の鬼目ナット４４ｂに螺合させる作業を行う。これにより、天板材２０の内面の前縁と左側板材４０の内面の前縁とも接合されるため、これら天板材２０と左側板材４０との接合の強度を高めることができる。次に、左板金材８０の第２の貫通孔８２ｂにビスＢを挿し込み、この挿し込んだビスＢを左側板材４０の第３の鬼目ナット４４ｃに螺合させる作業を行う。次に、左板金材８０の第３の貫通孔８２ｃにビスＢを挿し込み、この挿し込んだビスＢを左側板材４０の第４の鬼目ナット４４ｄに螺合させる作業を行う。
【００５０】
次に、左板金材８０の第４の貫通孔８２ｄにビスＢを挿し込み、この挿し込んだビスＢを左側板材４０の第５の鬼目ナット４４ｅに螺合させる作業を行う。次に、左板金材８０の第５の貫通孔８２ｅにビスＢを挿し込み、この挿し込んだビスＢを左側板材４０の第６の鬼目ナット４４ｆに螺合させる作業を行う。次に、下板金材７０の第１の貫通孔７６ａから左板金材８０の第６の貫通孔８２ｆにビスＢを挿し込み、この挿し込んだビスＢを左側板材４０の第７の鬼目ナット４４ｇに螺合させる作業を行う。これにより、底板材３０の内面の前縁と左側板材４０の内面の前縁とも接合されるため、これら底板材３０と左側板材４０との接合の強度を高めることができる。
【００５１】
次に、上板金材６０の第５の貫通孔６６ｅから右板金材９０の第１の貫通孔９２ａにビスＢを挿し込み、この挿し込んだビスＢを右側板材５０の第２の鬼目ナット５４ｂに螺合させる作業を行う。これにより、天板材２０の内面の前縁と右側板材５０の内面の前縁とも接合されるため、これら天板材２０と右側板材５０との接合の強度を高めることができる。次に、右板金材９０の第２の貫通孔９２ｂにビスＢを挿し込み、この挿し込んだビスＢを右側板材５０の第３の鬼目ナット５４ｃに螺合させる作業を行う。次に、右板金材９０の第３の貫通孔９２ｃにビスＢを挿し込み、この挿し込んだビスＢを右側板材５０の第４の鬼目ナット５４ｄに螺合させる作業を行う。
【００５２】
次に、右板金材９０の第４の貫通孔９２ｄにビスＢを挿し込み、この挿し込んだビスＢを右側板材５０の第５の鬼目ナット５４ｅに螺合させる作業を行う。最後に、下板金材７０の第５の貫通孔７６ｅから右板金材９０の第５の貫通孔９２ｅにビスＢを挿し込み、この挿し込んだビスＢを右側板材５０の第６の鬼目ナット５４ｆに螺合させる作業を行う。これにより、底板材３０の内面の前縁と右側板材５０の内面の前縁とも接合されるため、これら底板材３０と右側板材５０との接合の強度を高めることができる。
【００５３】
なお、図７からも明らかなように、これら上板金材６０の左端と左板金材８０の上端、下板金材７０の左端と左板金材８０の下端、上板金材６０の右端と右板金材９０の上端、下板金材７０の右端と右板金材９０の下端は、それぞれビスＢによって螺合されている。そのため、これら上板金材６０、下板金材７０、左板金材８０、右板金材９０は、筐体１の開口１ａの内側の縁において、枠状を成すこととなっている。
【００５４】
回胴式遊技機の筐体１は、このようにして組み立てられる。このようにして組み立てられると、回胴式遊技機の筐体１は、背板材１０と、天板材２０と、底板材３０と、左側板材４０と、右側板材５０とから、遊技者と対向する開口１ａを有するボックス状に接合されて構成されることとなる。また、このようにして組み立てられると、ビスＢを外せば、背板材１０と、天板材２０と、底板材３０と、左側板材４０と、右側板材５０を他のそれと入れ替えることができる（着脱できる）。そのため、筐体１が破損した場合でも、この破損した板材のみを入れ替えることができる。
【００５５】
本発明の実施例１に係る回胴式遊技機の筐体１は、上述したように構成されている。この構成によれば、接合金具２は、１部材から形成されている。すなわち、接合金具２は、従来技術と異なり、２部材（２つの金具片）から構成されていない。そのため、回胴式遊技機の筐体１の組み立て時に、従来技術のように、この２部材（２つの金具片）をスライドとねじによって締結する作業を必要としない。したがって、この組み立ての部品点数や作業工数を削減することができる。
【００５６】
また、この構成によれば、回胴式遊技機の筐体１は、背板材１０と、天板材２０と、底板材３０と、左側板材４０と、右側板材５０とから、遊技者と対向する開口１ａを有するボックス状に接合されて構成されている。このボックス状の接合にあたって、左上、左下、右上、右下の各隅部には、４個の接合金具２がビスＢ留めされている。そのため、この４個の接合金具２によって、回胴式遊技機の筐体１をボックス状に接合できるため、この筐体の組み立ての部品点数や作業工数をより削減することができる。
【００５７】
また、この構成によれば、回胴式遊技機の筐体１の開口１ａの内側の縁には、上板金材６０、下板金材７０、左板金材８０、右板金材９０が枠状を成すように組み付けられている。そのため、これら各板金材６０、７０、８０、９０によって、この筐体１の強度を高めることができる。
【００５８】
また、この構成によれば、接合金具２は、金属材（例えば、鉄、アルミニウム等）を折り曲げによって一体的に形成されている。そのため、プレス加工等によって、接合金具２を簡便に大量生産できる。
【００５９】
（実施例２）
次に、本発明の実施例２を、図１４〜２１を用いて説明する。この実施例２の回胴式遊技機の筐体１０１は、既に説明した実施例１の回胴式遊技機の筐体１と比較すると、その強度を高めた形態である。なお、以下の説明にあたって、実施例１で説明した部材と同一または均等な構成の部材には、図面において同一の符号を付すことで、重複する説明は省略することとする。
【００６０】
この実施例２の筐体１０１も、実施例１の筐体１と同様に、主として、背板材１０と、天板材２０と、底板材３０と、左側板材４０と、右側板材５０とから組み立てられている（図１４〜２０参照）。なお、この組み立てにあたって、実施例１の筐体１と同様に、左上、左下、右上、右下の各隅部に４個の接合金具１０２が使用されている。ここで、図２０を参照して、この４個の接合金具１０２のうち、左下の接合金具１０２について詳述する。なお、残りの左上、右上、右下の３個の接合金具１０２も、実施例１の接合金具２と同様に、この左下の接合金具１０２と同一のため、詳細な説明は省略することとする。
【００６１】
この接合金具１０２は、矩形状の第１の片１０３と、正方形状の第２の片１０４と、矩形状の第３の片１０５とから金属材（例えば、鉄、アルミニウム等）を折り曲げによって一体的に形成されている（図２１参照）。すなわち、この接合金具１０２は、板金材によって１部材から形成されている。この第２の片１０４は、第１の片１０３の一方の短辺１０３ａから直交するように内側に向けて折り曲げられて形成されている。
【００６２】
また、この第３の片１０５は、第１の片１０３の一方の長辺１０３ｂから内側に向けて直交するように折り曲げられて形成されている。
【００６３】
また、この第１の片１０３には、後述するビスＢを挿し込んで貫通させることができる貫通孔１０３ｃが２箇所形成されている。この貫通孔１０３ｃは、左側板材４０の２個の第８の鬼目ナット４４ｈに対応する位置に形成されている。また、これと同様に、この第２の片１０４には、後述するビスＢを挿し込んで貫通させることができる貫通孔１０４ａが形成されている。この貫通孔１０４ａは、背板材１０の第２の鬼目ナット１４ｂに対応する位置に形成されている。
【００６４】
また、これと同様に、この第３の片１０５には、後述するビスＢを挿し込んで貫通させることができる貫通孔１０５ｂが２箇所形成されている。この貫通孔１０５ｂは、底板材３０の第１の鬼目ナット３４ａと第２の鬼目ナット３４ｂに対応する位置に形成されている。左下の接合金具１０２は、このように構成されている。
【００６５】
なお、上述したように、左上、左下、右上、右下の４個の接合金具１０２は、同一のものである。そのため、左上の接合金具１０２では、第１の片１０３の２個の貫通孔１０３ｃは、天板材２０の第１の鬼目ナット２４ａと第２の鬼目ナット２４ｂとに対応することとなっている。また、左上の接合金具１０２では、第２の片１０４の貫通孔１０４ａは、背板材１０の第１の鬼目ナット１４ａに対応することとなっている。また、左上の接合金具１０２では、第３の片１０５の２個の貫通孔１０５ｂは、左側板材４０の２個の第１の鬼目ナット４４ａに対応することとなっている。
【００６６】
これと同様に、右上の接合金具１０２では、第１の片１０３の２個の貫通孔１０３ｃは、右側板材５０の２個の第１の鬼目ナット５４ａに対応することとなっている。また、右上の接合金具１０２では、第２の片１０４の貫通孔１０４ａは、背板材１０の第３の鬼目ナット１４ｃに対応することとなっている。また、右上の接合金具１０２では、第３の片１０５の２個の貫通孔１０５ｂは、天板材２０の第６の鬼目ナット２４ｆと第７の鬼目ナット２４ｇとに対応することとなっている。
【００６７】
また、これと同様に、右下の接合金具１０２では、第１の片１０３の２個の貫通孔１０３ｃは、底板材３０の第６の鬼目ナット３４ｆと第７の鬼目ナット３４ｇとに対応することとなっている。また、右下の接合金具１０２では、第２の片１０４の貫通孔１０４ａは、背板材１０の第４の鬼目ナット１４ｄに対応することとなっている。また、右下の接合金具１０２では、第３の片１０５の２個の貫通孔１０５ｂは、右側板材５０の２個の第７の鬼目ナット５４ｇに対応することとなっている。
【００６８】
なお、この実施例２の回胴式遊技機の筐体１０１も、実施例１の回胴式遊技機の筐体１と同様に、組み立てることができる。
【００６９】
本発明の実施例２に係る回胴式遊技機の筐体１０１は、上述したように構成されている。この構成によれば、実施例１の回胴式遊技機の筐体１と同様の作用効果を得ることができる。また、この構成によれば、左上の接合金具１０２において、第１の片１０３は、天板材２０に対して２箇所ビスＢ留めされている。また、左上の接合金具１０２において、第３の片１０５は、左側板材４０に対して２箇所ビスＢ留めされている。これらのことは、残りの３つの左下、右上、右下の接合金具１０２においても同様である。なお、実施例１のそれは、１箇所ビスＢ留めされている。そのため、この実施例２の回胴式遊技機の筐体１０１を実施例１の回胴式遊技機の筐体１より強度を高めることができる。
【００７０】
上述した内容は、あくまでも本発明の一実施の形態に関するものであって、本発明が上記内容に限定されることを意味するものではない。
【００７１】
各実施例では、接合金具２、１０２は、板金材によって１部材から形成されている形態を説明した。しかし、これに限定されるものでなく、接合金具２、１０２は、鋳造によって１部材から形成されている形態でも構わない。
【００７２】
また、各実施例では、接合金具２、１０２は、筐体１、１０１の４箇所の隅部に使用される形態を説明した。しかし、これに限定されるものでなく、筐体１、１０１の少なくとも１箇所の隅部に使用される形態でも構わない。
【００７３】
また、各実施例で説明した筐体１、１０１を組み立てる手順は、下記の（１）〜（８）の手順の通りでもよい。
（１）天板材２０、底板材３０に接合金具２、２をそれぞれビスＢで取り付ける。
（２）接合金具２、２を取り付けた天板材２０（天板材２０サブアッシ）を治具（図示しない）にセットする。
（３）天板材２０サブアッシに合わせながら、左側板材４０、右側板材５０を治具にセットする。
（４）天板材２０の嵌込溝２６、左側板材４０の嵌込溝４６、右側板材５０の嵌込溝５６に背板材１０の上縁１０ａ、左縁１０ｃ、右縁１０ｄを挿し込む。
（５）背板材１０、左側板材４０、右側板材５０に合わせながら、接合金具２、２を取り付けた底板材３０（底板材３０サブアッシ）を治具にセットする。
（６）治具で底板材３０を押さえる。
（７）左側板材４０、右側板材５０に接合金具２、２をそれぞれビスＢで取り付ける。
（８）背板材１０に接合金具２、２、２、２をそれぞれビスＢで取り付ける。
もちろん、この（１）〜（８）の手順に入れ替え等があってもよい。
【符号の説明】
【００７４】
１      回胴式遊技機の筐体（実施例１）
１ａ    開口
２      接合金具（実施例１）
１０    背板材
２０    天板材
３０    底板材
４０    左側板材
５０    右側板材
６０    上板金材
７０    下板金材
８０    左板金材
９０    右板金材
１０１  回胴式遊技機の筐体（実施例２）
１０２  接合金具（実施例２）
Ｂ      ビス
【図１】
2016101362.tif 000003
【図２】
2016101362.tif 000004
【図３】
2016101362.tif 000005
【図４】
2016101362.tif 000006
【図５】
2016101362.tif 000007
【図６】
2016101362.tif 000008
【図７】
2016101362.tif 000009
【図８】
2016101362.tif 000010
【図９】
2016101362.tif 000011
【図１０】
2016101362.tif 000012
【図１１】
2016101362.tif 000013
【図１２】
2016101362.tif 000014
【図１３】
2016101362.tif 000015
【図１４】
2016101362.tif 000016
【図１５】
2016101362.tif 000017
【図１６】
2016101362.tif 000018
【図１７】
2016101362.tif 000019
【図１８】
2016101362.tif 000020
【図１９】
2016101362.tif 000021
【図２０】
2016101362.tif 000022
【図２１】
2016101362.tif 000023
【図２２】
2016101362.tif 000024